(57)【要約】【課題】  電子体温計において、体温を測定する際の利便性を損なうことなく、ユーザにとってより見やすい表示を実現することを目的とする。【解決手段】  複数のＬＥＤ２５２Ａが配列された発光部２５２と、電子体温計１００が振られたことを検出する振れ検出部２３０と、各ＬＥＤ２５２Ａの発光を制御する表示制御部２４４と、を備え、表示制御部２４４は、更に、発光ドットパターンを生成する手段と、振れ検出部２３０による検出結果に基づいて算出された、電子体温計１００の所定方向の振れ時間と、前記発光パターンを表現するのに必要なドット列数とに基づいて、ＬＥＤ２５２Ａの１ドット列当たりの発光時間を算出する手段と、を備え、各ＬＥＤ２５２Ａの発光を、前記生成された発光ドットパターンと、前記算出された１ドット列当たりの発光時間とに基づいて制御することを特徴とする。【選択図】図２
2010190798.tif 000002
【特許請求の範囲】
【請求項１】
被検体の体温を測定する電子体温計であって、
配列された複数の発光素子を備える発光手段と、
前記電子体温計が振られたことを検出する振れ検出手段と、
前記発光手段が備える各発光素子の発光を制御する発光制御手段と、を備え、
前記発光制御手段は、
測定された前記被検体の体温に関する情報に基づいて発光ドットパターンを生成する生成手段と、
前記振れ検出手段による検出結果に基づいて算出された、前記電子体温計の所定方向の振れ時間と、前記発光ドットパターンを表現するのに必要な前記所定方向の発光素子のドット列数とに基づいて、前記発光素子の１ドット列当たりの発光時間を算出する算出手段と、を備え、
前記振れ検出手段が前記電子体温計が振られたことを検出した場合に、前記生成された発光ドットパターンと、前記算出された１ドット列当たりの発光時間とに基づいて、前記各発光素子の発光を制御することを特徴とする電子体温計。
【請求項２】
前記振れ検出手段は、
前記電子体温計の長手方向と略直交する方向における往復の振れを検出することを特徴とする請求項１に記載の電子体温計。
【請求項３】
前記振れ検出手段は、傾斜センサを備え、
該傾斜センサは、前記電子体温計の往復の振れにおける、振れ方向の変更タイミングを検出することを特徴とする請求項２に記載の電子体温計。
【請求項４】
前記振れ検出手段は、加速度センサを備え、
該加速度センサより出力された信号に基づいて、前記電子体温計の往復の振れにおける、振れ方向の変更タイミングを検出することを特徴とする請求項２に記載の電子体温計。
【請求項５】
前記算出手段は、
前記振れ検出手段により検出された前記振れ方向の変更タイミングに基づいて算出された前記電子体温計の所定方向の振れ時間を、前記被検体の体温に関する情報を表現する発光ドットパターンに必要な前記所定方向の発光素子のドット列数で除算することにより、前記発光素子の１ドット列当たりの発光時間を算出することを特徴とする請求項１乃至４の何れか１項に記載の電子体温計。
【請求項６】
前記算出手段は、
前記振れ検出手段により検出された前記振れ方向の変更タイミングに基づいて算出された前記電子体温計の所定方向の振れ時間から固定時間減算した時間または前記振れ時間に基づく所定の時間減算した時間を、前記被検体の体温に関する情報を表現する発光ドットパターンに必要な前記所定方向の発光素子のドット列数で除算することにより、前記発光素子の１ドット列当たりの発光時間を算出することを特徴とする請求項１乃至４の何れか１項に記載の電子体温計。
【請求項７】
前記発光制御手段は、
前記振れ検出手段により検出された前記振れ方向の変更タイミングに基づいて、前記各発光素子の発光を開始することを特徴とする請求項５に記載の電子体温計。
【請求項８】
前記生成手段は、前記体温に関する情報を示す文字列のうち、最初の文字の前と最後の文字の後に、空白のドット列が配された発光ドットパターンを生成することを特徴とする請求項７に記載の電子体温計。
【請求項９】
前記発光制御手段は、
前記振れ検出手段により検出された前記振れ方向の変更タイミングに対して、前記固定時間または前記振れ時間に基づく所定の時間が経過してから、前記発光素子の発光を開始することを特徴とする請求項６に記載の電子体温計。
【請求項１０】
配列された複数の発光素子を備える発光手段と、電子体温計が振られたことを検出する振れ検出手段と、を備え、被検体の体温を測定する電子体温計における表示制御方法であって、
測定された前記被検体の体温に関する情報に基づいて発光ドットパターンを生成する生成工程と、
前記振れ検出手段による検出結果に基づいて算出された、前記電子体温計の所定方向の振れ時間と、前記発光ドットパターンを表現するのに必要な前記所定方向の発光素子のドット列数とに基づいて、前記発光素子の１ドット列当たりの発光時間を算出する算出工程と、
前記振れ検出手段が前記電子体温計が振られたことを検出した場合に、前記生成された発光ドットパターンと、前記算出された１ドット列当たりの発光時間とに基づいて、前記各発光素子の発光を制御する制御工程と
を備えることを特徴とする電子体温計の表示制御方法。
【請求項１１】
請求項１０に記載の表示制御方法をコンピュータによって実行させるためのプログラムを格納したコンピュータ読取可能な記憶媒体。
【発明の詳細な説明】
【技術分野】
【０００１】
本発明は、被検体の体温を測定する電子体温計に関するものである。
【背景技術】
【０００２】
従来より、電子体温計にはＬＣＤ等の表示部が設けられており、測定された被検体の体温等の情報をユーザに表示することができるよう構成されている（例えば、下記特許文献１参照）。
【先行技術文献】
【特許文献】
【０００３】
【特許文献１】特開２００７−２４５３０号公報
【発明の概要】
【発明が解決しようとする課題】
【０００４】
しかしながら、近年、その表示部は、電子体温計の軽量・小型化に伴って、大きさが制約される傾向にあり、ユーザにとっては、必ずしも見やすい表示になっていない。特に、周辺環境が暗い場合にあっては、表示された情報を読み取ることは困難な状況となっている。
【０００５】
一方、寸法を大きくしたり、ＬＣＤのバックライトを明るくしたりすることで、ユーザにとってより見やすい表示部を実現することは可能であるが、この場合、電子体温計の外形が大きくなったり、消費電力が増大し電池交換が必要になるなど、ユーザにとって利便性が損なわれる結果となる。
【０００６】
本発明は上記課題に鑑みてなされたものであり、電子体温計において、ユーザの利便性を損なうことなく、より見やすい表示を実現することを目的とする。
【課題を解決するための手段】
【０００７】
上記の目的を達成するために、本発明に係る測定装置は以下のような構成を備える。即ち、
被検体の体温を測定する電子体温計であって、
配列された複数の発光素子を備える発光手段と、
前記電子体温計が振られたことを検出する振れ検出手段と、
前記発光手段が備える各発光素子の発光を制御する発光制御手段と、を備え、
前記発光制御手段は、
測定された前記被検体の体温に関する情報に基づいて発光ドットパターンを生成する生成手段と、
前記振れ検出手段による検出結果に基づいて算出された、前記電子体温計の所定方向の振れ時間と、前記発光ドットパターンを表現するのに必要な前記所定方向の発光素子のドット列数とに基づいて、前記発光素子の１ドット列当たりの発光時間を算出する算出手段と、を備え、
前記振れ検出手段が前記電子体温計が振られたことを検出した場合に、前記生成された発光ドットパターンと、前記算出された１ドット列当たりの発光時間とに基づいて、前記各発光素子の発光を制御することを特徴とする。
【発明の効果】
【０００８】
本発明によれば、電子体温計において、ユーザの利便性を損なうことなく、より見やすい表示を実現することが可能となる。
【図面の簡単な説明】
【０００９】
【図１】本発明の第１の実施形態に係る電子体温計１００の外観構成の一例を示す図である。
【図２】本発明の第１の実施形態に係る電子体温計１００のシステム構成を示す図である。
【図３】電子体温計１００を長手方向と略直交する方向に、電子体温計１００の姿勢を維持した状態で往復で振られた場合に、発光部２５２の発光によってユーザに視認される表示内容の一例を示した図である。
【図４】信号処理部２３２における信号処理の内容を説明するための図である。
【図５】表示制御部２４４において生成された発光ドットパターンの一例を示す図である。
【図６】表示制御部２４４における、発光開始から発光完了までの発光制御処理の内容を説明するための図である。
【図７】表示制御部２４４における、発光開始から発光完了までの発光制御処理の内容を説明するための図である。
【図８】表示制御部２４４における、発光開始から発光完了までの発光制御処理の内容を説明するための図である。
【図９】電子体温計１００の体温測定処理の流れを示すフローチャートである。
【図１０】測定された体温を発光部２５２において可視化するための、表示制御部２４４における可視化処理の流れを示すフローチャートである。
【図１１】表示制御部２４４において生成された発光ドットパターンの一例を示す図である。
【図１２】表示制御部２４４における、発光開始から発光完了までの発光制御処理の内容を説明するための図である。
【図１３】表示制御部２４４における、発光開始から発光完了までの発光制御処理の内容を説明するための図である。
【発明を実施するための形態】
【００１０】
以下、本発明の一実施形態について図面を参照しながら説明する。
【００１１】
１．電子体温計の外観構成
図１は、本発明の第１の実施形態に係る電子体温計１００の外観構成の一例を示す図である。
【００１２】
図１において、１０１は、被検体の体温に関する情報を表示する表示部であり、例えば、ＬＣＤ等により構成されている。
【００１３】
１０２は発光部であり、ＬＥＤ等の発光素子が電子体温計１００の長手方向に一列に配列されている。なお、図１の例では、発光部１０２としてＬＥＤが７個配列された場合について図示しているが、発光部１０２に含まれるＬＥＤの数は７個に限られない。また、図１の例では、発光部１０２としてＬＥＤを１列に配列した場合について図示しているが、ＬＥＤの配列数は１列に限られず、複数列であってもよい。
【００１４】
１０３はエンドキャップであり、内蔵された温度計測部（詳細は後述）に対して被検体の体温が伝導しやすいように、ステンレスなどの金属により構成されている。
【００１５】
１０４はＯＮ／ＯＦＦスイッチであり、体温の測定を開始する際、又は体温の測定を終了した後に押すことで、電子体温計１００の電源を制御する。
【００１６】
２．電子体温計のシステム構成
次に、電子体温計のシステム構成について図２を参照しながら説明する。
【００１７】
図２は、本発明の第１の実施形態に係る電子体温計１００のシステム構成を示す図である。
【００１８】
電子体温計１００は、電源部２１０と温度計測部２２０と振れ検出部２３０と演算制御部２４０と、出力部２５０と、ブザー２６０とに大別することができる。
【００１９】
電源部２１０は、従来の使い捨て式又は充電式の電池を内蔵しており、電子体温計１００の各部に電源を供給する。
【００２０】
温度計測部２２０は、サーミスタ、コンデンサ、測温用ＣＲ発振回路等から構成されており、サーミスタにより検出された温度を発信信号として出力する。出力された発信信号はカウンタ２４５においてカウントされることで、デジタル量として出力される。なお、温度計測部２２０の構成は一例であって、これに限定されるものではない。
【００２１】
演算制御部２４０は、体温測定に必要なパラメータを格納したＥＥＰＲＯＭ２４１、計測した温度を時系列で記憶するためのＲＡＭ２４２、予測式の体温測定プログラム等を格納したＲＯＭ２４３、出力部２５０を制御するための表示制御部２４４、温度計測部２２０より出力された発振信号をカウントするカウンタ２４５、ＲＯＭ２４３の体温測定プログラムに従いＥＥＰＲＯＭ２４１に格納されたパラメータに従って演算を行う演算処理部２４６、カウンタ２４５や表示制御部２４４を制御する制御回路２４７等を備える。
【００２２】
振れ検出部２３０は、モーション・センサ２３１と、信号処理部２３２とを備える。モーション・センサ２３１としては、例えば、加速度センサや傾斜センサ等が用いられるものとする。
【００２３】
信号処理部２３２は、モーション・センサ２３１が検出した電子体温計１００の振れを信号として受信し、当該信号に基づいて、発光部２５２の発光開始のタイミングならびに各発光素子の１ドット列当たりの発光時間を規定するための信号（振れ方向の変更タイミングを示す信号（詳細は後述））を表示制御部２４４に出力する。
【００２４】
出力部２５０は、従来の表示方法（ＬＣＤ等）で体温に関する情報を表示する表示部２５１と、ユーザの目の残像効果を利用して体温に関する情報を可視化する発光部２５２とを含む。
【００２５】
表示部２５１は、ＬＣＤ等により構成され、表示制御部２４４から受信した体温に関する情報を表示する。
【００２６】
発光部２５２は、電子体温計１００が往復で振られた（往復運動した）際に、被検体の体温に関する情報をユーザが視認できるように、表示制御部２４４にて生成された発光ドットパターン、発光時間及び発光開始タイミング／発光完了タイミングに基づいて、各発光素子が発光する（詳細は後述）。つまり、表示制御部２４４は、表示部２５１の表示を制御する表示制御機能と、発光部２５２の各発光素子の発光を制御する発光制御機能とを有している。
【００２７】
なお、発光部２５２の各発光素子が発光している状態で、ユーザが電子体温計１００を往復で振ることで、ユーザは、目の残像効果の影響により、被検体の体温に関する情報を空間上において視認することができる。
【００２８】
なお、電子体温計１００のように発光部１０２を備える構成の場合、必ずしも表示部２５１を設ける必要はなく、表示部２５１は省略しても良い。このように、表示部２５１を省略することで、電子体温計１００では、表示部を配するための幅又は大きさを維持する必要が無くなるため、外形寸法を更に小さくすることが可能となる。
【００２９】
ブザー２６０は、体温測定が終了したことを、鳴動により被検体に知らせる。
【００３０】
３．発光部の発光により視認される表示内容
次に、電子体温計１００の発光部２５２の各発光素子の発光により視認される表示内容について、図面を参照しながら説明する。
【００３１】
図３は電子体温計１００を長手方向と略直交する方向（以下、横方向と称す）に、電子体温計１００の姿勢を維持した状態で、電子体温計１００を往復で振った場合に、発光部２５２の各発光素子の発光によってユーザに視認される表示内容の一例を示した図である。
【００３２】
発光部２５２では、電子体温計１００が横方向に往復で振られているうちの、所定方向の振れ（ここでは、紙面左側から右側への振れ、以下、右振れと称す）の間、被検体の体温に関する情報に対応する発光ドットパターンと、後述する１ドット列あたりの発光時間とに基づいて、各発光素子を発光させる。これにより、その発光を見たユーザは、目の残像効果の影響により、該被検体の体温に関する情報を視認することができる。
【００３３】
なお、図３の例は、電子体温計１００を横方向に往復で振ることで、振れ範囲内の空間上に、“３８．５℃”という表示が浮かび上がって見える様子を示している。
【００３４】
図３に示すように、電子体温計１００の発光部２５２を構成する各ＬＥＤ２５２Ａは、電子体温計１００の右振れが完了するまでの間に、それぞれ対応する発光タイミングにおいて発光する。なお、本実施形態では紙面右側から左側への振れ（以下、左振れと称す）の間は、ＬＥＤ２５２Ａは発光しないものとする。
【００３５】
このように、それぞれのＬＥＤ２５２Ａは、対応する発光タイミングにおいて、一瞬（１ドット列当たりの発光時間分）発光するだけであるが、ユーザの目の残像効果の影響により、それぞれの発光タイミングで発光した光が残像として残るため、ユーザには、連続した文字として視認されることとなる。以下、電子体温計１００を横方向に往復で振った場合の、信号処理部２３２及び表示制御部２４４における処理の詳細について説明する。
【００３６】
４．信号処理部における信号処理
まず、発光部２５２における発光開始／発光完了のタイミングならびに各素子の発光時間を規定するための信号（振れ方向の変更タイミングを示す信号）を出力する信号処理部２３２における信号処理の内容について説明する。
【００３７】
図４は、信号処理部２３２における信号処理の内容を説明するための図である。図４の（Ａ−１）は、モーション・センサ２３１が傾斜センサであった場合に、ユーザによって電子体温計１００が往復で振られた際のモーション・センサ２３１の出力を示した図である。また、図４の（Ａ−２）は、モーション・センサ２３１が加速度センサであった場合に、ユーザによって電子体温計１００が往復で振られた際のモーション・センサ２３１の出力を示した図である。
【００３８】
上述したように、電子体温計１００では、横方向の往復の振れのうち、右振れの間、発光部２５２の各発光素子の発光を制御する。これに対応するため、信号処理部２３２では、左振れしていた電子体温計１００の振れ方向が右振れに変更されたタイミング（振れ方向の変更タイミング）を検出する。
【００３９】
図４の（Ａ−１）に示すように、本実施形態に係る傾斜センサでは、左振れしていた電子体温計１００の振れ方向が、右振れに変更された場合に、これを検出し、ＯＮ信号として出力するよう構成されている。
【００４０】
このため、信号処理部２３２では、傾斜センサより出力されたＯＮ信号を検出し、これを表示制御部２４４に出力する（図４の（Ｂ）参照）。
【００４１】
一方、モーション・センサ２３１が加速度センサであった場合には、図４の（Ａ−２）に示すように、電子体温計１００の往復の振れに応じて、正弦波状の信号が出力される。
【００４２】
このため、信号処理部２３２では、加速度センサより出力された信号を微分処理し、微分処理の結果がゼロになるタイミング（つまり、加速度センサより出力された信号の傾きがゼロになるタイミング）を検出する。
【００４３】
ここで、加速度センサより出力された信号の傾きがゼロになるタイミングとしては、左振れしていた電子体温計１００の振れ方向が、右振れに変更されたタイミングと、右振れしていた電子体温計１００の振れ方向が、左振れに変更されたタイミングの、２種類がある。
【００４４】
このうち、信号処理部２３２では、左振れしていた電子体温計１００の振れ方向が、右振れに変更されたタイミングのみを抽出して、表示制御部２４４に出力する（図４の（Ｂ）参照）。
【００４５】
なお、本発明は、モーション・センサ２３１として上述のような傾斜センサや加速度センサが用いられることに限定されるものではなく、例えば角速度センサ（ジャイロスコープ）のように、電子体温計１００の振れを検出できる他のセンサが用いられるようにしてもよい。
【００４６】
５．表示制御部において生成される発光ドットパターン
次に、表示制御部２４４において生成される発光ドットパターンについて説明する。図５は、表示制御部２４４において生成される発光ドットパターンの一例を示す図である。
【００４７】
図５に示すように、発光ドットパターンは、発光部２５２の各発光素子により可視化される仮想的な表示領域における表示であり、配列された発光素子の数と、所定の方向に振られている間の発光素子の発光回数であるドット列数とにより規定される。
【００４８】
図５において、黒い丸及び白い丸は、電子体温計１００が横方向の振れに伴って移動した場合の、各発光タイミングにおける発光素子の位置を示している。本実施形態では、１文字（ただし、「点」は除く）を表現するのに、横方向５ドット（５つの発光素子）と縦方向７ドット（７つの発光素子）とを用いるものとする。また、横方向の文字と文字の間には、２ドット列数分の発光素子の空白が設けられているものとする。
【００４９】
このため、体温に関する情報として、例えば“３８．５℃”の５文字（“３”、“８”、“．”、“５”及び“℃”）を可視化するためには、
（１文字あたりの横方向ドット列数（＝５ドット））×４文字
＋（「点」の横方向ドット列数（＝１ドット））×１文字
＋（空白列のドット列数（＝２ドット））×（５文字＋１）
＝３３ドット列数が必要となる。
【００５０】
つまり、電子体温計１００の右振れが開始してから完了するまでの間に、発光素子は、３３ドット列数からなる発光ドットパターンを出力することとなる。このため、１ドット列数分の発光時間（つまり、各発光素子の１ドット列当たりの発光時間ｔ）は、電子体温計１００の右振れが開始してから完了するまでにかかる振れ時間をＴとすると、Ｔ／３３となる。
【００５１】
ここで、電子体温計１００の右振れが開始してから完了するまでにかかる振れ時間Ｔは、モーション・センサ２３１の出力に基づいて信号処理部２３２が検出した検出結果（振れ方向の変更タイミング）に基づいて算出することができる。
【００５２】
具体的には、信号処理部２３２から出力されたＯＮ信号とＯＮ信号との間隔の１／２を算出することにより求めることができる。
【００５３】
なお、モーション・センサ２３１が加速度センサの場合には、左方向に振られた電子体温計１００の振れ方向が、右方向の振れに変更された振れ方向の変更タイミングと、右方向に振られた電子体温計１００の振れ方向が左方向の振れに変更された振れ方向の変更タイミングとの間隔を算出することができるため、これに基づいて求めるように構成してもよい。
【００５４】
このように、表示制御部２４４では、体温に関する情報を可視化するために以下のように動作する。
・発光部２５２において可視化すべき体温に関する情報を受信し、これを表現するための発光ドットパターンを生成する。
・信号処理部２３２からの信号の出力間隔に基づいて算出された振れ時間Ｔと、体温に関する情報を表現するのに必要な横方向の発光素子のドット列数とに基づいて、次回の右振れにおける１ドット列当たりの発光時間ｔを算出する。
・信号処理部２３２からの信号（振れ方向の変更タイミング）の出力を発光開始タイミングとして、各発光素子を、生成された発光ドットパターンと、算出された１ドット列数あたりの発光時間ｔとに基づいて発光させる。
【００５５】
６．発光開始から発光完了までの発光制御処理の内容
次に、発光開始から発光完了までの表示制御部２４４における発光制御処理の内容について説明する。
【００５６】
図６は、表示制御部２４４における、発光開始から発光完了までの発光制御処理の内容を説明するための図である。図６において、（Ａ）は振れ方向の変更タイミングにおいて発光を開始した状態を示している。また、（Ｂ）及び（Ｃ）は、振れ時間Ｔの１／３が経過した状態及び２／３が経過した状態をそれぞれ示している。さらに、（Ｄ）は振れ時間Ｔが経過し、発光を完了した状態を示している。
【００５７】
図６に示すように、各発光素子は、発光ドットパターンのうち、発光開始タイミングからの経過時間に対応するドット列に基づく発光を行うように制御される。
【００５８】
同様に、図７は、表示制御部２４４における、発光開始から発光完了までの発光制御処理の内容を説明するための図である。図６との違いは、図７の場合、振れ時間Ｔが図６の振れ時間Ｔより小さい点である。
【００５９】
なお、振れ時間Ｔが小さい場合とは、振れ速度が同じで振れ幅が小さい場合と、振れ幅が同じで振れ速度が大きい場合とが考えられるが、どちらの場合も発光制御処理の内容としては同じである。このため、図７では、振れ速度が同じで振れ幅が小さい場合について示している。
【００６０】
図７に示すように、振れ時間Ｔが図６の振れ時間Ｔより小さい場合、発光時間ｔは、図６の発光時間よりも短くなり、結果として、表現される文字の大きさ（横方向の大きさ）は、小さくなる。
【００６１】
なお、振れ幅が同じで振れ速度が大きい場合には、発光時間ｔは、図６の発光時間よりも短くなるが、振れ速度が大きい分、短い発光時間の間に移動する距離が大きくなるため、結果として、表現される文字の大きさ（横方向の大きさ）は、図６の場合と同じとなる。
【００６２】
同様に、図８は、表示制御部２４４における、発光開始から発光完了までの発光制御処理の内容を説明するための図である。図６との違いは、図８の場合、振れ時間Ｔが図６の振れ時間Ｔより大きい点である。
【００６３】
なお、振れ時間Ｔが大きい場合とは、振れ速度が同じで振れ幅が大きい場合と、振れ幅が同じで振れ速度が小さい場合とが考えられるが、どちらの場合も発光制御処理の内容としては同じである。このため、図８では、振れ速度が同じで振れ幅が小さい場合について示している。
【００６４】
図８に示すように、振れ時間Ｔが図６の振れ時間Ｔより大きい場合、発光時間ｔは、図６の発光時間よりも長くなり、結果として、表現される文字の大きさ（横方向の大きさ）は、大きくなる。
【００６５】
なお、振れ幅が同じで振れ速度が小さい場合には、発光時間ｔは、図６の発光時間よりも長くなるが、振れ速度が小さい分、長い発光時間の間に移動できる距離は小さくなるため、結果として、表示される文字の大きさ（横方向の大きさ）は、図６の場合と同じとなる。
【００６６】
このように、各発光素子は、信号処理部２３２からの信号（振れ方向の変更タイミングを示す信号）の出力を発光開始タイミングとして、それぞれのタイミングで発光すべき発光ドットパターンを、算出された１ドット列当たりの発光時間分だけ発光させることで、電子体温計１００では右振れが完了するまでの間に、“３８．５℃”なる文字を可視化させることができる。つまり、ユーザが振った場合の各振れ時間のばらつきを考慮して文字を可視化させることができる。
【００６７】
７．電子体温計の体温測定手順
続いて、図９を用いて電子体温計１００における体温測定処理の流れを説明する。図９は電子体温計１００の体温測定処理の流れを示すフローチャートである。なお、本実施形態では、例えば、特開２００７−２４５３０号公報などに開示された予測式の体温測定方法を用いて体温測定を行うものとする。
【００６８】
ＯＮ／ＯＦＦスイッチ１０４が押下されると、電子体温計１００の電源がＯＮとなり、ステップＳ９０１に進む。
【００６９】
ステップＳ９０１では、電子体温計１００の初期化が行われ、温度計測部２２０による温度値の検出が開始される。例えば、０．５秒おきに温度計測部２２０を用いて温度値が検出される。
【００７０】
ステップＳ９０２では、例えば、前回実測値（つまり０．５秒前の実測値）からの上昇が所定の値（例えば１度）以上となる温度値を計測した時点を、予測式の基準点（ｔ＝０）と設定し、ＲＡＭ２４２に特定タイミングと実測値のデータ（時系列データ）として記憶を開始する。つまり、急激な温度上昇を検出することにより、被検体の所定の測定部位に電子体温計１００が装着されたとみなす。
【００７１】
ステップＳ９０３からステップＳ９０７までは、周知の予測式の体温測定方法を用いて体温を予測する処理であり、その詳細に関しては、例えば、特開２００７−２４５３０号公報などに記載されているため、ここでは簡潔に説明することとする。
【００７２】
ステップＳ９０３では、測定中に計測温度の低下が観測されたか否かを判断する。所定の温度低下が見られる場合は、ステップＳ９１２に進み、所定の温度低下が見られない場合にはステップＳ９０４に進む。
【００７３】
ステップＳ９１２では、計測されたデータの補正処理を行う。補正処理が正常に行われた場合にはステップＳ９０２に戻る。一方、補正処理が正常に終了しない場合には、ステップＳ９１３に進む。ステップＳ９１３では、エラーを告げるブザー２６０を鳴動し、体温測定処理を終了する。
【００７４】
一方、ステップＳ９０４では、ステップＳ９０２で記憶されたデータを用いて、前述した予測式の体温測定方法を用いて逐次予測値を導出（例えば、０．５秒間隔で導出）する。
【００７５】
ステップＳ９０５では、基準点（ｔ＝０）から所定時間（例えば１６秒）だけ経過した後、例えばステップＳ９０４で導出した複数の群に対応するそれぞれの予測値の変化に基づいて群分け判定を行う。
【００７６】
ステップＳ９０６では、ステップＳ９０５によって決定された群以外の演算を停止し、判定された群における予測演算を引き続き所定の時間導出する。
【００７７】
ステップＳ９０７では、基準点（ｔ＝０）から所定時間（例えば３０秒）だけ経過した時点で、ステップＳ９０６における処理の結果導出された一定区間（例えばｔ＝２５〜３０秒）における予測値があらかじめ設定された予測成立条件を満たすかどうかをチェックする。具体的には、所定の範囲（例えば０．１度）に収まっているか否かをチェックする。
【００７８】
ステップＳ９０７において予測成立条件を満たしたと判定された場合には、ステップＳ９０８に進む。一方、予測成立条件を満たさない場合は、ステップＳ９１４に進む。
【００７９】
ステップＳ９１４では、例えばタイマーなどで計測開始から所定時間（例えば４５秒）が経過したか否かを監視し、経過した時は、強制的に予測を成立させ、ステップＳ９０８に進む。つまり、その時点で導出されている予測値をそのまま最終予測値と見なす。
【００８０】
ステップＳ９０８では予測成立を告げるブザー２６０を鳴らし、ステップＳ９０９に進む。ステップＳ９０９では、導出された体温の予測値を測定結果として出力部２５０の表示部２５１に表示する。
【００８１】
ステップＳ９１０では、電子体温計１００の横方向に往復で振られているかを判定する。横方向に往復で振られていると判定された場合には、ステップＳ９１５に進み、横方向に往復で振られていないと判定された場合には、ステップＳ９１１に進む。
【００８２】
ステップＳ９１５では、表示制御部２４４が、測定された体温の予測値を発光部２５２において可視化するための可視化処理（可視化処理のフローの詳細は後述）を実行する。
【００８３】
ステップＳ９１１では、体温測定終了の指示を受け付けたか否かを判定する。体温測定終了の指示は、例えば、電源ＯＮ／ＯＦＦスイッチ１０４が押下されたか否かに基づいて判定してもよいし、ステップＳ９０９における表示から一定時間経過した場合に体温測定終了の指示があったとみなすようにしてもよい。以上のステップを経て、体温測定処理を終了し、電源をＯＦＦにする。
【００８４】
８．可視化処理の流れ
次に、図１０を用いて、測定された体温の予測値を発光部２５２において可視化するための表示制御部２４４における処理の流れについて説明する。
【００８５】
図９のステップＳ９１０において、電子体温計１００において横方向に往復で振られていると判定されると、図１０に示す処理が開始される。
【００８６】
ステップＳ１００１では、信号処理部２３２からの信号の出力間隔に基づいて、電子体温計１００の右振れの振れ時間Ｔを算出する。
【００８７】
ステップＳ１００２では、測定された体温の予測値に基づいて、発光部２５２において可視化すべき体温に関する情報を表現するための発光ドットパターンを生成する。
【００８８】
ステップＳ１００３では、ステップＳ１００１において算出された右振れの振れ時間Ｔと、ステップＳ１００２において生成された発光ドットパターンを表現するのに必要な右振れ方向の発光素子のドット列数とに基づいて、１ドット列当たりの発光時間ｔを算出する。
【００８９】
ステップＳ１００４では、信号処理部２３２からの信号の出力を受信したタイミングで、生成された発光ドットパターンと、算出された１ドット列当たりの発光時間ｔとに基づいて、各発光素子の発光の制御を開始する。
【００９０】
ステップＳ１００５では、信号処理部２３２からの信号の出力が継続しているか否かを判定し、継続していると判定された場合には、ステップＳ１００１に戻る。一方、信号処理部２３２からの信号の出力がないと判定された場合には、可視化処理を終了する。
【００９１】
以上の説明から明らかなように、本実施形態に係る電子体温計１００では、配列された複数の発光素子を備える発光部２５２と、電子体温計１００の振れを検出するモーション・センサ２３１と、発光部２５２の発光を制御する表示制御部２４４とを備える構成とした。
【００９２】
そして、電子体温計が横方向に往復で振られている際に、発光素子の発光を適切に制御することで、測定された被検体の体温を、ユーザが空間上において視認できるよう構成した。
【００９３】
この結果、電子体温計において、体温を測定する際の利便性を損なうことなく、ユーザにとってより見やすい表示を実現することが可能となった。特に、当該電子体温計によれば、周辺環境が暗い場合においても、ユーザは、容易に視認することが可能となる。
【００９４】
［第２の実施形態］
上記第１の実施形態では、ユーザが振った場合の各振れ時間にはばらつきがあることを考慮して文字を可視化させる構成とした一方で、１回の振れの間（発光開始タイミングから発光完了タイミングまでの間）には、電子体温計１００の振れ速度にはばらつきがなく、一定であるものとして構成した。しかしながら、ユーザが振る場合、１回の振れの間において振れ速度にはばらつきが生じ、ユーザが電子体温計１００を往復で振った場合、実際には振れ方向の変更タイミング前後において、振れ速度が低下することとなる。
【００９５】
そして、この場合、ユーザによって視認される体温に関する情報は、振れ方向の変更タイミング前後（つまり、文字列のうち最初と最後）において、文字が横方向に縮んでしまい、全体として文字がゆがむこととなる。
【００９６】
そこで、本実施形態では、振れ速度の変化が小さい時間帯を利用して、体温に関する情報を可視化するための各発光素子の発光を制御するよう構成することで、文字のゆがみを排除することとする。
【００９７】
１．表示制御部において生成される発光ドットパターン
図１１は、本実施形態において生成される発光ドットパターンの一例を示す図である。
【００９８】
図５との違いは、図１１の場合、横方向の文字と文字との間に２ドット列数分の発光素子の空白を設けることに加えて、文字列の最初の文字の前に、更に、６ドット列数分の発光素子の空白を設けている点にある。更に、文字列の最後の文字の後ろに、６ドット列数分の発光素子の空白が設けている点にある。
【００９９】
このため、体温に関する情報として、例えば“３８．５℃”の５文字（“３”、“８”、“．”、“５”及び“℃”）を可視化するために、本実施形態の場合、
（最初の空白列のドット列数（＝６ドット）
＋（最後の空白列のドット列数（＝６ドット））
＋（１文字あたりの横方向ドット列数（＝５ドット））×４文字
＋（「点」の横方向ドット列数（＝１ドット））×１文字
＋（空白列のドット列数（＝２ドット））×（５文字＋１）
＝４５ドット列数が必要となる。
【０１００】
つまり、本実施形態の場合、電子体温計１００の右振れが開始してから完了するまでの間に、発光素子は、４５ドット列数からなる発光ドットパターンを出力することとなる。このため、１ドット列数分の発光時間（つまり、各発光素子の１ドット列当たりの発光時間ｔ）は、電子体温計１００の右振れが開始してから完了するまでにかかる振れ時間をＴとすると、Ｔ／４５となる。
【０１０１】
このように、１回の振れの間におけるユーザの振れ速度のばらつきを考慮して、文字列の最初と最後に空白を設けることにより、振れ方向の変更タイミングの前後において、体温に関する情報を示す文字列が可視化されず、比較的振れ速度が安定している時間帯においてのみ、体温に関する情報を示す文字列が可視化されることとなる。
【０１０２】
この結果、文字のゆがみを排除することが可能となる。
【０１０３】
２．発光開始から発光完了までの発光制御処理の内容
次に、本実施形態における発光開始から発光完了までの表示制御部２４４における発光制御処理の内容について説明する。
【０１０４】
図１２は、表示制御部２４４における、発光開始から発光完了までの発光制御処理の内容を説明するための図である。図１２において、（Ａ）は振れ方向の変更タイミングにおいて発光を開始した状態を示している。また、（Ｂ）及び（Ｃ）は、振れ時間Ｔの１／３が経過した状態及び２／３が経過した状態をそれぞれ示している。さらに、（Ｄ）は振れ時間Ｔが経過し、発光を完了した状態を示している。
【０１０５】
図１２に示すように、各発光素子は、発光ドットパターンのうち、発光開始タイミングからの経過時間に対応するドット列に基づく発光を行うように制御される。そして、本実施形態において用いられる発光ドットパターンには、文字列の最初と最後に空白が含まれているため、振れ方向の変更タイミング直後は、各発光素子は発光せず、空白列数分の時間が経過してから、最初の文字についての発光が開始されることとなる。また、振れ方向の変更タイミング直前も、各発光素子は発光せず、空白列数分前に、最後の文字についての発光が完了することとなる。
【０１０６】
この結果、振れ方向の変更タイミングの前後における振れ速度の低下の影響を受けることなく、体温に関する情報を可視化させることが可能となる。
【０１０７】
以上の説明から明らかなように、本実施形態によれば、振れ速度の変化が小さい時間帯を利用して、体温に関する情報を可視化するための発光を行う構成としたことで、文字のゆがみを排除することが可能となった。
【０１０８】
［第３の実施形態］
上記第２の実施形態では、文字のゆがみを排除するために、発光ドットパターンの最初と最後に空白列を入れる構成とした。
【０１０９】
本発明はこれに限定されず、文字のゆがみを排除するにあたり、振れ方向の変更タイミングから最初の文字が可視化されるまでの時間ならびに最後の文字が可視化されてから振れ方向の変更タイミングまでの時間を固定時間または振れ時間Ｔに基づく所定の時間として設定するように構成してもよい。
【０１１０】
つまり、振れ方向の変更タイミングから固定時間（Ｔｈ）または振れ時間Ｔに基づく所定の時間（Ｔｉ）経過してから、発光開始タイミングとなり、発光完了タイミングから固定時間（Ｔｈ）または振れ時間Ｔに基づく所定の時間（Ｔｉ）経過してから、振れ方向の変更タイミングとなるように制御するように構成してもよい。
【０１１１】
図１３は、本実施形態における発光開始から発光完了までの表示制御部２４４における発光制御処理の内容を説明するための図である。図１３において、（Ａ）は振れ方向の変更タイミングから固定時間Ｔｈまたは振れ時間Ｔに基づく所定の時間Ｔｉが経過してから発光を開始した状態を示している。また、（Ｂ）及び（Ｃ）は、振れ時間Ｔの１／３が経過した状態及び２／３が経過した状態をそれぞれ示している。さらに、（Ｄ）は振れ時間Ｔが経過し、発光がすでに完了している状態を示している。
【０１１２】
なお、本実施形態の場合、各発光素子の発光時間ｔは、発光ドットパターンのドット列数を３３とすると、
ｔ＝（Ｔ−２×Ｔｈ）／３３  （Ｔｈは定数、例えば、Ｔｈ＝５０ｍｓ）
または、
ｔ＝（Ｔ−２×Ｔｉ）／３３  （Ｔｉ＝α×Ｔ、例えば、α＝０．２５）
となる。
【０１１３】
以上の説明から明らかにように、本実施形態では、振れ方向の変更タイミング前後に固定時間Ｔｈまたは振れ時間Ｔに基づく所定の時間Ｔｉを設定することで、振れ速度の変化が小さい時間帯を利用して、体温に関する情報を可視化するための発光を行う構成とした。この結果、文字のゆがみを排除することが可能となった。
【０１１４】
［第４の実施形態］
上記第１の実施形態では、発光素子としてＬＥＤを用いる場合について説明したが、本発明はこれに限定されず、例えば、有機ＥＬ等、他の発光素子を用いるようにしてもよい。
【０１１５】
また、上記第１の実施形態では、発光部により可視化された被検体の体温に関する情報として、予測された体温を用いる場合について説明したが、本発明はこれに限定されず、実測された体温を用いるようにしてもよい。また、可視化される情報は、被検体の体温に限定されず、他の情報であってもよいことはいうまでもない。
【０１１６】
また、上記第１乃至３の実施形態では、各文字を均等に配置するように発光ドットパターンを生成することとしたが、本発明はこれに限定されず、不均等に配置してもよいし、全体として右寄りに（あるいは左寄り）に配置するように構成してもよい。
【図１】
2010190798.tif 000003
【図２】
2010190798.tif 000004
【図４】
2010190798.tif 000005
【図５】
2010190798.tif 000006
【図６】
2010190798.tif 000007
【図７】
2010190798.tif 000008
【図８】
2010190798.tif 000009
【図９】
2010190798.tif 000010
【図１０】
2010190798.tif 000011
【図１１】
2010190798.tif 000012
【図１２】
2010190798.tif 000013
【図１３】
2010190798.tif 000014
【図３】
2010190798.tif 000015